(57)【要約】      （修正有）【課題】インターネット上で共済団体の設立・共済商品の開発・管理及び会員の募集を行う。【解決手段】コンピュータが、第１ウェブページを提示するステップを含み、第１ウェブページは、共済企画の内容を入力するためのＵＩコンポーネントと、入力された内容をコンピュータに送信するためのＵＩコンポーネントとを含む。第２ウェブページは、共済企画の内容を示すＵＩコンポーネントと、共済企画の採用をコンピュータに通知するためのＵＩコンポーネントとを含む。第３ウェブページは、加入者募集中である共済企画をそれぞれ示す１以上のＵＩコンポーネントを含む。第４ウェブページは、共済企画を示し、共済企画への共済加入を申し込むためのＵＩコンポーネントを含む。【選択図】図４
2018032070.tif 000002
【特許請求の範囲】
【請求項１】
共済をネットワークを介して実施するための方法であって、
コンピュータが、第１ウェブページを提示するステップであって、前記第１ウェブページは、共済企画の内容を入力するためのＵＩコンポーネントと、入力された内容を前記コンピュータに送信するためのＵＩコンポーネントとを含む、ステップと、
前記コンピュータが、共済企画の内容を受信したときに、受信した内容をメモリに格納し、当該共済企画についての第２ウェブページの提示を開始するステップであって、前記第２ウェブページは、共済企画の内容を示すＵＩコンポーネントと、当該共済企画の採用を前記コンピュータに通知するためのＵＩコンポーネントとを含む、ステップと、
前記コンピュータが、共済企画の採用の通知を受けた後、当該共済企画の加入者募集を開始すべきと判定したときに、当該共済企画の共済管理ステータスを第１ステータスに変更し、当該共済企画についての第３ウェブページへの掲載を開始するステップであって、前記第３ウェブページは、加入者募集中である共済企画をそれぞれ示す１以上のＵＩコンポーネントであって、加入者募集中である共済企画は、共済管理ステータスが第１ステータスである共済企画であり、示された共済企画についての第４ウェブページへの直接的又は間接的なリンクとして機能するＵＩコンポーネントを含み、前記第４ウェブページは、当該共済企画を示し、当該共済企画への共済加入を申し込むためのＵＩコンポーネントを含む、ステップと
を含む、方法。
【請求項２】
請求項１に記載の方法であって、共済企画の内容は、加入者募集期間と、最低加入人数とを含み、前記方法は、
前記コンピュータが、複数のユーザのうちのユーザが特定される情報とともに共済企画についての共済加入申込を受信したときに、当該情報により特定されるユーザを当該共済加入申込をしたユーザとして当該共済企画に関連付けて前記メモリに記憶し、当該共済加入申込についての第５ウェブページの提示を開始するステップであって、前記第５ウェブページは、当該共済加入申込の内容を示すＵＩコンポーネントと、当該共済加入申込についての契約管理ステータスを変更するためのＵＩコンポーネントとを含み、前記契約管理ステータスは、共済加入申込の承認を前記コンピュータに通知するためのステータスを含む、ステップと、
前記コンピュータが、前記第５ウェブページを提示するステップと、
前記コンピュータが、共済企画への共済加入申込の承認の通知を受けたときに、当該共済企画への共済加入申込を承認したユーザの数を更新するステップと、
共済企画の加入者募集期間が終了し共済加入申込を承認したユーザの数が最低加入人数以上であるときに、前記コンピュータが、共済企画を共済として開始すべきと判断し、当該共済企画の共済管理ステータスを第２ステータスに変更するステップと、
前記コンピュータが、共済掛金の決済のために、共済企画への共済加入申込をしたユーザを前記メモリを検索して特定するステップと
を更に含む、方法。
【請求項３】
請求項２に記載の方法であって、共済企画の内容は共済開始予定日を含み、前記方法は、
前記コンピュータが、共済管理ステータスが第２ステータスであり、且つ、共済開始予定日になった共済企画についての第６ウェブページの提示を開始するステップであって、前記第６ウェブページは、事故連絡の内容を入力するためのＵＩコンポーネントと、入力された内容を前記コンピュータに送信するためのＵＩコンポーネントとを含む、ステップ
を更に含む、方法。
【請求項４】
請求項２又は３に記載の方法であって、共済企画の内容は、共済開始予定日と、共済期間とを含み、前記方法は、
前記コンピュータが、事故連絡の内容を受信したときに、受信した内容を前記メモリに格納し、当該事故連絡についての第７ウェブページの提示を開始するステップであって、前記第７ウェブページは、事故連絡の内容を示すＵＩコンポーネントと、当該事故連絡についての事故管理ステータスを変更するためのＵＩコンポーネントとを含み、前記事故管理ステータスは、当該事故連絡についての共済金の支払い完了を前記コンピュータに通知するためのステータスを含み、事故連絡の内容は、共済企画を特定する情報を含む、ステップと、
前記コンピュータが、事故連絡についての共済金の支払い完了の通知を受けたときに、当該事故連絡の内容が含む情報によって特定される共済企画についての積立金の額を更新し、当該積立金の額が所定の額未満となったときに、当該共済企画の実際の加入者であるユーザの電子メールアドレスを前記メモリから取得し、該当ユーザに電子メールを送信するステップと、
前記コンピュータが、共済企画を終了すべきと判定したときに、当該共済企画の実際の加入者であるユーザに通知するステップであって、前記コンピュータは、共済企画の共済開始予定日から共済期間が経過したときに、当該共済企画を終了すべきと判定し、当該共済企画の共済管理ステータスを第３ステータスに変更するステップと
を更に含む、方法。
【請求項５】
請求項４に記載の方法であって、
共済企画の内容は、共済掛金の額を含み
共済企画についての積立金の額を更新することは、決済された共済掛金の合計から支払われた共済金の合計及び事務管理手数料を減算した額である積立金の現在額を計算して、当該共済企画に関連付けて前記メモリに格納することを含み、事務管理手数料は、決済された共済掛金の合計と所定の率との積であり、
前記方法は、
前記コンピュータが、事故連絡について支払われた共済金の額を示す情報を受信するステップと、
前記コンピュータが、共済企画についての積立金の現在額を示すウェブページを提示するステップと
を更に含む、方法。
【請求項６】
コンピュータに請求項１から５のうちの何れか一項に記載の方法を実行させるプログラム。
【請求項７】
共済をネットワークを介して実施するためのシステムであって、
第１ウェブページを提示する手段であって、前記第１ウェブページは、共済企画の内容を入力するためのＵＩコンポーネントと、入力された内容を前記システムに送信するためのＵＩコンポーネントとを含む、手段と、
共済企画の内容を受信し、受信した内容をメモリに格納する手段と、
内容が前記メモリに格納された共済企画についての第２ウェブページを提示する手段であって、前記第２ウェブページは、共済企画の内容を示すＵＩコンポーネントと、当該共済企画の採用を前記システムに通知するためのＵＩコンポーネントとを含む、手段と、
共済企画の採用の通知を受ける手段と、
加入者募集を開始すべきと判定された共済企画の共済管理ステータスを第１ステータスに変更する手段と、
第３ウェブページを提示する手段であって、前記第３ウェブページは、加入者募集中である共済企画をそれぞれ示す１以上のＵＩコンポーネントであって、加入者募集中である共済企画は、共済管理ステータスが第１ステータスである共済企画であり、示された共済企画についての第４ウェブページへの直接的又は間接的なリンクとして機能するＵＩコンポーネントを含む、手段と、
前記第４ウェブページを提示する手段であって、前記第４ウェブページは、共済企画を示し、当該共済企画への共済加入を申し込むためのＵＩコンポーネントを含む、手段と
を備えたシステム。
【請求項８】
請求項７に記載のシステムであって、共済企画の内容は、加入者募集期間と、最低加入人数とを含み、前記システムは、
複数のユーザのうちのユーザが特定される情報とともに共済企画についての共済加入申込を受信し、当該情報により特定されるユーザを当該共済加入申込をしたユーザとして当該共済企画に関連付けて前記メモリに記憶する手段と、
前記メモリに格納された共済加入申込についての第５ウェブページを提示する手段であって、前記第５ウェブページは、当該共済加入申込の内容を示すＵＩコンポーネントと、当該共済加入申込についての契約管理ステータスを変更するためのＵＩコンポーネントとを含み、前記契約管理ステータスは、共済加入申込の承認を前記システムに通知するためのステータスを含む、手段と、
共済企画への共済加入申込の承認の通知を受け、当該共済企画への共済加入申込を承認したユーザの数を更新する手段と、
加入者募集期間が終了し共済加入申込を承認したユーザの数が最低加入人数以上である共済企画の共済管理ステータスを第２ステータスに変更する手段と、
共済掛金の決済のために、共済企画への共済加入申込をしたユーザを前記メモリを検索して特定する手段と
を更に備えた、システム。
【請求項９】
請求項８に記載のシステムであって、共済企画の内容は共済開始予定日を含み、前記システムは、
共済開始予定日に共済管理ステータスが第２ステータスであった共済企画についての第６ウェブページを提示する手段であって、前記第６ウェブページは、事故連絡の内容を入力するためのＵＩコンポーネントと、入力された内容を前記システムに送信するためのＵＩコンポーネントとを含む、手段
を更に備えた、システム。
【請求項１０】
請求項８又は９に記載のシステムであって、共済企画の内容は、共済開始予定日と、共済期間とを含み、前記システムは、
事故連絡の内容を受信し、受信した内容を前記メモリに格納する手段と、
内容が前記メモリに格納された事故連絡についての第７ウェブページを提示する手段であって、前記第７ウェブページは、事故連絡の内容を示すＵＩコンポーネントと、当該事故連絡についての事故管理ステータスを変更するためのＵＩコンポーネントとを含み、前記事故管理ステータスは、当該事故連絡についての共済金の支払い完了を前記システムに通知するためのステータスを含み、事故連絡の内容は、共済企画を特定する情報を含む、手段と、
事故連絡についての共済金の支払い完了の通知を受け、当該事故連絡の内容が含む情報によって特定される共済企画についての積立金の額を更新する手段と、
積立金の額が所定の額未満となった共済企画の実際の加入者であるユーザの電子メールアドレスを前記メモリから取得し、該当ユーザに電子メールを送信する手段と、
共済開始予定日から共済期間が経過した共済企画の共済管理ステータスを第３ステータスに変更する手段と、
共済管理ステータスが第３ステータスに変更された共済企画の実際の加入者であるユーザに共済企画の終了を通知する手段と
を更に備えた、システム方法。
【請求項１１】
請求項１０に記載のシステムであって、
共済企画の内容は、共済掛金の額を含み
共済企画についての積立金の額を更新することは、決済された共済掛金の合計から支払われた共済金の合計及び事務管理手数料を減算した額である積立金の現在額を計算して、当該共済企画に関連付けて前記メモリに格納することを含み、事務管理手数料は、決済された共済掛金の合計と所定の率との積であり、
前記システムは、
事故連絡について支払われた共済金の額を示す情報を受信する手段と、
共済企画についての積立金の現在額を示すウェブページを提示する手段と
を更に備えた、システム。
【発明の詳細な説明】
【技術分野】
【０００１】
本発明は、共済を実施するための方法、コンピュータ・システム及びプログラムに関する。より詳細には、本発明は、ネットワークを介して、共済団体の設立、共済商品開発及び加入、並びに、共済管理を行い、これを受注するための方法、コンピュータ・システム及びプログラムに関する。
【背景技術】
【０００２】
特開２００１−２０２４７３号公報は、個別のリスク事情に合わせて各人（法人含む）が内容をある程度自由に提案した保険をオークションに出せ、ある程度誰でも自由に申し込みや引き受けが出来る保険仲介市場をインターネット上に創設するというアイディアを開示している（当該公報の要約を参照）。
【先行技術文献】
【特許文献】
【０００３】
【特許文献１】特開２００１−２０２４７３号公報
【発明の概要】
【発明が解決しようとする課題】
【０００４】
上記特許文献１に開示されたスキームは、保険会社と顧客を仲介するイギリスのロイズのように、保険提案人と引受人との仲介を行う市場をインターネットに創設するというものであって、その商品は基本的に保険会社の既存商品を組み合わせたものであることから、このスキームではニッチな補償ニーズをカバーすることは困難である。
【０００５】
他方、平成１８年４月に改正保険業法が施行され、これまで根拠法がなかった共済に係る事業が保険業法の規制の対象となった一方、形式的には保険業法上の保険業に該当しても、その適用除外とされる事業が残されることとなった。この適用除外事業による共済は、小規模でニッチな補償ニーズにマッチしたものである。
【０００６】
小規模でニッチな補償ニーズということは、被保険者の側がどのような補償が必要かを把握しているはずであるから、そのような共済を、被保険者が企画提案することができれば、より有用な共済を実現できる可能性がある。また、ニッチな補償ニーズであっても、それに賛同する者は少なからず存在するはずである。
【０００７】
しかし、保険業法適用除外であっても保険法他各種法律に準拠する必要があるため、これまでは、個別にコンサルティング委託する等により対応されており、設立・運営に手間とコストがかかり実現に至らないことも多く存在する状況であった。
【０００８】
補償内容以外の取扱を汎用・画一化し、インターネットで提供される画面に必要項目を入力することで共済団体の設立・共済商品の開発を行うことができれば、容易に共済を実施することが出来る。また、複数の共済をデータベース化し、同一のインターネットページ上に並べて会員を募集する（検索も可能とする。）ことで、より多くの閲覧者が期待でき、会員を集めることが容易になる。
【０００９】
このように、インターネット上で共済団体の設立・共済商品の開発・管理及び会員の募集を行う必要性が高まっている。しかしながら、現在まで、インターネット上で共済団体の設立・共済商品の開発・管理を行うこと、言い換えると、インターネット上で共済を実施することが可能なシステムは、存在していない。
【課題を解決するための手段】
【００１０】
本発明は、以上に鑑みてなされたものである。
上記課題を解決するための本発明の第１基本態様の例は、共済をネットワークを介して実施するための方法である。この方法は、コンピュータが、第１ウェブページを提示するステップを含み、第１ウェブページは、共済企画の内容を入力するためのＵＩコンポーネントと、入力された内容を前記コンピュータに送信するためのＵＩコンポーネントとを含むものである。また、この方法は、コンピュータが、共済企画の内容を受信したときに、受信した内容をメモリに格納し、当該共済企画についての第２ウェブページの提示を開始するステップを含み、第２ウェブページは、共済企画の内容を示すＵＩコンポーネントと、当該共済企画の採用をコンピュータに通知するためのＵＩコンポーネントとを含むものである。更に、この方法は、コンピュータが、共済企画の採用の通知を受けた後、当該共済企画の加入者募集を開始すべきと判定したときに、当該共済企画の共済管理ステータスを第１ステータスに変更し、当該共済企画についての第３ウェブページへの掲載を開始するステップを含み、第３ウェブページは、加入者募集中である共済企画をそれぞれ示す１以上のＵＩコンポーネントを含むものである。加入者募集中である共済企画は、共済管理ステータスが第１ステータスである共済企画である。この１以上のＵＩコンポーネントは、示された共済企画についての第４ウェブページへの直接的又は間接的なリンクとして機能するものでもある。第４ウェブページは、当該共済企画を示し、当該共済企画への共済加入を申し込むためのＵＩコンポーネントを含むものである。
【００１１】
上記課題を解決するための本発明の第２基本態様の例は、コンピュータに上記方法を実行させるプログラムである。
上記課題を解決するための本発明の第３基本態様の例は、共済をネットワークを介して実施するためのシステムである。このシステムは、第１ウェブページを提示する手段であって、前記第１ウェブページは、共済企画の内容を入力するためのＵＩコンポーネントと、入力された内容を前記システムに送信するためのＵＩコンポーネントとを含む、手段と、共済企画の内容を受信し、受信した内容をメモリに格納する手段とを備えている。また、このシステムは、内容が前記メモリに格納された共済企画についての第２ウェブページを提示する手段であって、前記第２ウェブページは、共済企画の内容を示すＵＩコンポーネントと、当該共済企画の採用を前記システムに通知するためのＵＩコンポーネントとを含む、手段と、共済企画の採用の通知を受ける手段と、加入者募集を開始すべきと判定された共済企画の共済管理ステータスを第１ステータスに変更する手段とを備えている。更に、このシステムは、第３ウェブページを提示する手段であって、前記第３ウェブページは、加入者募集中である共済企画をそれぞれ示す１以上のＵＩコンポーネントであって、加入者募集中である共済企画は、共済管理ステータスが第１ステータスである共済企画であり、示された共済企画についての第４ウェブページへの直接的又は間接的なリンクとして機能するＵＩコンポーネントを含む、手段と、前記第４ウェブページを提示する手段であって、前記第４ウェブページは、共済企画を示し、当該共済企画への共済加入を申し込むためのＵＩコンポーネントを含む、手段とを備えている。
【発明の効果】
【００１２】
本発明の一例によると、だれでもどこでも、パーソナルコンピュータ、タブレットやスマートフォン等のコンピュータを通じて、インターネットを含むネットワーク上で容易に新しい共済商品を開発・加入するとともに、補償も受けることができる。
【図面の簡単な説明】
【００１３】
【図１】本発明の一例に係るコンピュータ・システムの構成例である。
【図２Ａ】ログインページの一例である。
【図２Ｂ】共済企画投稿ページの一例である。
【図２Ｃ】共済加入申込ページの一例である。
【図２Ｄ】事故連絡ページの一例である。
【図２Ｅ】共済企画紹介ページの一例である。
【図２Ｆ】ユーザのマイページの一例である。
【図３Ａ】共済内容編集ページの一例である。
【図３Ｂ】契約内容編集ページの一例である。
【図３Ｃ】事故受付編集ページの一例である。
【図４】例示の共済企画フェーズのシーケンス図である。
【図５】例示の共済加入者募集フェーズのシーケンス図である。
【図６】例示の共済有効期間フェーズのシーケンス図である。
【図７】例示の共済終了フェーズのシーケンス図である。
【図８】例示の共済企画紹介ページを提示するときのシーケンス図である。
【図９】例示のマイページを提示するときのシーケンス図である。
【図１０】本発明の一例である共済運用システムの概略である。
【図１１】コンピュータのハードウェア構成例である。
【発明を実施するための形態】
【００１４】
１  本発明の実施の第１態様の例
本発明の実施の第１態様の例は、共済の運用を実施するための、コンピュータが実行する方法（以下、「共済運用方法」という。）である。この共済運用方法は、インターネット上で共済企画をユーザから募集し、募集した共済企画についての被保険者即ち加入者を募集し、当該共済企画に従う共済を実施するというサービスに好適なものである。以下、このようなサービスに関連して、共済運用方法について説明する。
【００１５】
１−１  共済運用方法に係るコンピュータ・システム
図１は、本発明の一例に係るコンピュータ・システムの構成例を表している。
１１０及び１２０は、サービスのユーザが使用するコンピュータであるクライアントを示している。図１において、クライアントの数は２であるが、実際には３以上のクライアントが存在しうる。以下の説明では、例示として、１件の共済企画が投稿されるものとしており、その共済企画ユーザが使用するクライアントが１１０、共済企画ユーザでないユーザが使用するクライアントが１２０であるものとしている。
【００１６】
１３０は、共済運用方法を実行するコンピュータであるサーバを示している。サーバ１３０は、各種ウェブページを提示するウェブサーバとして構成されている。
ここで、「ウェブページを提示する」とは、例えば、当該ウェブページが記述されたデータを配信することである。サーバ１３０は、ウェブページを要求されたときに、節１−６にて述べる各種ＤＢその他の記憶手段から必要な情報を取得して、当該ウェブページが記述されたデータを動的に生成することができる。
【００１７】
また、「ウェブページの提示を開始する」とは、例えば、当該ウェブページへのリンクをサーバ１３０が要求に応じて提示する他のウェブページに含めること、及び、要求に応じて当該ウェブページを提示することの一方又は双方を開始することである。
【００１８】
更に、「ウェブページの提示を終了する」とは、例えば、当該ウェブページへのリンクをサーバ１３０が要求に応じて提示する他のウェブページに含めること、及び、要求に応じて当該ウェブページを提示することの一方又は双方を終了することである。
【００１９】
１４０は、共済企画を管理するためのコンピュータである管理端末である。
なお、サーバ１３０及び管理端末１４０は、サービス事業者が設置するものである。また、サーバ１３０は、物理的に複数のコンピュータから構成されている場合があり、管理端末１４０は複数ある場合があり、サーバ１３０と管理端末１４０とは物理的に同一のコンピュータである場合もある。
【００２０】
１５０は、インターネットを含む１つ又は複数のネットワークを示している。ネットワーク１５０を介して、クライアント１１０及び１２０を含むクライアント並びに管理端末１４０は、少なくともサーバ１３０と通信可能である。
【００２１】
１−２  サーバ１３０がクライアントに提示するウェブページ
コンピュータ・システムにおいて、クライアントはサーバ１３０にウェブページを要求し、要求に応答してサーバ１３０はウェブページを提示する。以下、要求に応じてサーバ１３０がクライアントに提示するウェブページの例について説明する。
【００２２】
１−２−１  サービスへのログインページ
ユーザがサービスを利用するためには、ユーザはサービスにログインする必要がある。ログインの手法は任意であるが、例えば、ユーザＩＤとパスワードとを用いた手法であることができる。ユーザＩＤは、ユーザのメールアドレスであってもよい。
【００２３】
なお、ユーザがサービスにログインできるということは、サービスに対してユーザ登録を既に行っているということであるが、ユーザ登録は、例えばユーザ登録をするためのウェブページ（図示せず。）を介して行うことができる。以下の説明では、サービス事業者は、ユーザ登録時に、
ユーザＩＤ及び電子メールアドレスの一方又は双方、
パスワード、
ニックネーム、
氏名、
住所、
電話番号、
支払情報（クレジットカード情報、金融機関の口座情報等）
等の情報を要求し、ユーザはこれら情報を提供しているものとする。なお、ユーザ登録時に要求される情報は、これらに限定されるわけではないし、これらの一部は要求されない場合もある。また、サービス事業者は、ユーザ登録時ではなく、ユーザ登録の後の任意のタイミングで、上に例示した情報の一部その他の情報を要求することができる。なお、ユーザ登録がウェブページを介して行われる場合には、当該ウェブページには、要求する情報を入力するためのＵＩコンポーネントが含まれているであろう。また、要求し提供された情報の少なくとも一部は、サーバ１３０に記憶することができる。
【００２４】
図２Ａは、ユーザがサービスにログインするためのウェブページ（以下、「ログインページ」という。）の例を表している。
２１１は、ユーザＩＤ及びパスワードを入力するためのＵＩコンポーネントである。２１２は、サービスへのログインを実行するためのＵＩコンポーネントである。
【００２５】
ユーザからのＵＩコンポーネント２１２を選択する入力を受けると、クライアントは、入力されたユーザＩＤ及びパスワードをサーバ１３０に送信する。
ここで、「ＵＩコンポーネントを選択する」とは、例えば、
マウスカーソルを当該ＵＩコンポーネントに合わせてクリックすること（コンピュータがマウスやトラックパッド等を備えている場合）、
当該ＵＩコンポーネントにフォーカスを合わせてリターンキーを押下すること（コンピュータがキーボードを備えている場合）、
当該ＵＩコンポ―ネントをタップすること（コンピュータがタッチパネルを備えている場合）
である。
【００２６】
サーバ１３０は、送信されたユーザＩＤとパスワードとの組が記憶されているものと一致するかを判定し、一致している場合には、何らかのウェブページ、例えば、ログインしたユーザのマイページを提示することができる。
【００２７】
ログインが成功した際、サーバ１３０は、ログインしたユーザと関連付けて識別子（以下、「セッションＩＤ」という。）を生成して記憶し、何らかのウェブページを提示するとともにセッションＩＤを返信することができ、クライアントは、以後、サーバ１３０に対してウェブページを要求するときに、返信されたセッションＩＤを同時に送信することができる。このようにすることで、以後、サーバ１３０は、あるクライアントからの通信を受けたときに、送信されてきたセッションＩＤに関連付けられているユーザを特定することにより、そのクライアントは複数のユーザのうちのどのユーザが使用しているものなのかを特定することができる。言い換えると、セッションＩＤは、ユーザが特定される情報であるといえる。
【００２８】
１−２−２  共済企画投稿ページ
図２Ｂは、ユーザが共済企画を投稿するためのウェブページ（以下、「共済企画投稿ページ」という。）の例を表している。なお、図中縦向きの「…」は省略を表している。この点については、図２Ｃ〜３Ｃについても同様である。
【００２９】
２３１は、共済企画の内容を入力するためのＵＩコンポーネントを示している。入力すべき内容は、例えば、
共済名（ユーザが考えた共済の名前）、
共済制度概要（アピールポイント）、
共済金の名称、
共済金の支払事由、
共済金の支払額、
免責事由、
共済期間、
１ヶ月あたりの事故予想件数、予想加入者数及び安全率、
共済の加入資格、
共済開始予定日、
最低加入人数、
加入者募集期間、
共済のＰＲ画像
を含むが、これらに限定されるわけではないし、これらの一部は含まれない場合もある。また、共済企画において共済掛金が定められるが、その額は、共済金の支払額と、１ヶ月あたりの事故発生率と、共済期間（月単位）と、手数料（サービス事業者が予め定めることができる）とから計算することができ、１ヶ月あたりの事故発生率は、上に例示した１ヶ月あたりの事故予想件数、予想加入者数及び安全率から計算することができる。従って、１ヶ月あたりの事故予想件数、予想加入者数及び安全率に代えて、１ヶ月あたりの事故発生率又は共済掛金の額そのものが入力されるようにしてもよい。
【００３０】
２３２は、入力された内容に基づく共済企画を投稿するためのＵＩコンポーネントである。ユーザからのＵＩコンポーネント２３２の選択を受けると、クライアントは、共済企画の内容をサーバ１３０に送信する。
【００３１】
なお、クライアントは、ユーザからのＵＩコンポーネント２３２の選択を受けたときに、送信する内容を確認するページを表示してもよい。確認するページを表示するにせよ表示しないにせよ、ＵＩコンポーネント２３２は、入力された内容をサーバ１３０に送信するためのものであるといえる。この点は、後述するＵＩコンポーネント２４２及び２５２についても同様である。
【００３２】
また、共済企画の内容を受信したサーバ１３０は、共済企画を投稿したユーザ（以下、「共済企画ユーザ」という。）に、後述する共済ＩＤを通知することができる。この通知は、電子メール、マイページ又はマイページにおいて直接的に又は間接的にリンクされているウェブページ（以下、「マイページ等」という。）、入力された内容の受信に応答して提示するウェブページその他の任意の手法により行うことができる。この点については、後述する契約ＩＤ及び事故ＩＤの通知においても同様である。
【００３３】
ここで、「ウェブページにおいてリンクされているウェブページ」又は「ウェブページにおいて、ウェブページがリンクされている」とは、前者のウェブページが、後者のウェブページへのリンクとして機能するＵＩコンポーネントを含むことをいう。
【００３４】
また、「直接的にリンクされているウェブページ」、「ウェブページへの直接的なリンク」又は「ウェブページが直接的にリンクされている」とは、当該リンクのリンク先が当該ウェブページであることをいう。また、「間接的にリンクされているウェブページ（以下、この一文において「ウェブページＸ」という。）」、「ウェブページＸへの間接的なリンク」又は「ウェブページＸが間接的にリンクされている」とは、当該リンクのリンク先であるウェブページＹにおいて、ウェブページＸが直接的に又は間接的にリンクされていることをいう。
【００３５】
１−２−３  共済加入申込ページ
図２Ｃは、ユーザが共済企画への共済加入申込をするためのウェブページ（以下、「共済加入申込ページ」という。）の例を表している。
【００３６】
２４１は、共済加入申込の内容を示すＵＩコンポーネントを示している。示される共済加入申込の内容は、共済加入申込をする共済企画を含むことができる。
ＵＩコンポーネント２４１の一部は、その内容を入力可能なようになっている。入力すべき内容は、例えば、
被共済者が共済企画申込をするユーザ（契約者）と同じか否か、
共済金受取人が被共済者と同じか否か、
被共済者及び共済金受取人の郵便番号、
被共済者及び共済金受取人の住所、
被共済者及び共済金受取人の名前（漢字）、
被共済者及び共済金受取人の名前（フリガナ）、
被共済者及び共済金受取人のメールアドレス、
被共済者及び共済金受取人の電話番号、
被共済者の性別、
被共済者の生年月日
を含むが、これらに限定されるわけではないし、これらの一部は含まれない場合もある。特に、被共済者が共済企画申込をするユーザ（契約者）と同じであるならば、被共済者の郵便番号から生年月日は入力しなくてよい場合がある。また、共済金受取人が被共済者と同じであるならば、共済金受取人の郵便番号から電話番号は入力しなくてよい場合がある。また、ＵＩコンポーネント２４１において、共済加入申込をする共済企画を予め示さずに、当該共済企画を特定する情報、例えば共済ＩＤを入力可能にしてもよい。
【００３７】
２４２は、示され入力された内容に基づく共済加入申込を行うためのＵＩコンポーネントを示している。ユーザからのＵＩコンポ―ネント２４２の選択を受けると、クライアントは、共済加入申込の内容を契約内容としてサーバ１３０に送信する。
【００３８】
なお、共済加入申込の内容を受信したサーバ１３０は、共済加入申し込みをしたユーザに、後述する契約ＩＤを通知することができる。
１−２−４  事故連絡ページ
図２Ｄは、共済企画に従う共済に係る事故をユーザがサービス事業者に連絡するためのウェブページ（以下、「事故連絡ページ」という。）の例を表している。
【００３９】
２５１は、事故連絡の内容を示すＵＩコンポーネントを示している。示される事故連絡の内容は、事故に関係する共済企画及びその共済ＩＤを含んでいる。
ＵＩコンポーネント２５１の一部は、その内容を入力可能なようになっている。入力すべき内容は、例えば、
事故が発生した日付
事故が発生した時間
事故発生時の場所
事故時の状況
を含むが、これらに限定されるわけではないし、これらの一部は含まれない場合もある。特に、ＵＩコンポーネント２５１において、事故に関係する共済企画及びその共済ＩＤを予め示さずに、当該共済企画を特定する情報、例えば共済ＩＤを入力可能にしてもよい。
【００４０】
２５２は、示され入力された内容に基づく事故連絡を行うためのＵＩコンポーネントを示している。ユーザからのＵＩコンポーネント２５２の選択を受けると、クライアントは、事故連絡の内容をサーバ１３０に送信する。
【００４１】
なお、共済加入申込の内容を受信したサーバ１３０は、事故連絡をしたユーザに、後述する事故ＩＤを通知することができる。
１−２−５  共済企画修正ページ
サーバ１３０は、ユーザが、投稿した共済企画の内容を修正するためのウェブページ（以下、「共済企画修正ページ」という。図示せず。）を提示することができる。
【００４２】
共済企画修正ページは、共済企画の内容を示すＵＩコンポ―ネントと、修正された共済企画の内容をサーバ１３０に送信するためのＵＩコンポーネントとを含むことができる。共済企画の内容を示すＵＩコンポ―ネントの少なくとも一部は、その内容を修正可能なようになっている。また、共済企画修正ページにおいて示される共済企画の内容は、修正すべき共済企画の共済ＩＤを含むことができる。
【００４３】
１−２−６  企画取消申請ページ
サーバ１３０は、ユーザが、共済企画投稿を取り消すためのウェブページ（以下、「企画取消申請ページ」という。図示せず。）を提示することができる。
【００４４】
企画取消申請ページは、取り消すべき共済企画の共済ＩＤを入力するためのＵＩコンポ―ネントと、入力された共済ＩＤをサーバ１３０に送信するためのＵＩコンポーネントとを含むことができる。
【００４５】
１−２−７  加入取消申請ページ
サーバ１３０は、ユーザが、共済加入申込を取り消すためのウェブページ（以下、「加入取消申請ページ」という。図示せず。）を提示することができる。
【００４６】
加入取消申請ページは、取り消すべき共済加入申込の契約ＩＤを入力するためのＵＩコンポーネントと、入力された契約ＩＤをサーバ１３０に送信するためのＵＩコンポーネントとを含むことができる。
【００４７】
１−２−８  共済解約申請ページ
サーバ１３０は、ユーザが、開始された共済の解約をするためのウェブページ（以下、「共済解約申請ページ」という。図示せず。）を提示することができる。
【００４８】
共済解約申請ページは、解約する共済即ち関係する共済企画の共済ＩＤを入力するためのＵＩコンポーネントと、入力された共済ＩＤをサーバ１３０に送信するためのＵＩコンポーネントとを含むことができる。
【００４９】
１−２−９  契約情報変更ページ
サーバ１３０は、ユーザが、共済加入申込（契約）の内容を変更するためのウェブページ（以下、「契約情報変更ページ」という。図示せず。）を提示することができる。
【００５０】
契約情報変更ページは、共済加入申込の内容を示すＵＩコンポーネントと、修正された内容をサーバ１３０に送信するためのＵＩコンポーネントとを含むことができる。共済加入申込の内容を示すＵＩコンポ―ネントの少なくとも一部は、その内容を修正可能なようになっている。また、契約情報変更ページにおいて示される共済加入申込の内容は、変更すべき共済加入申込の契約ＩＤを含むことができる。
【００５１】
１−２−１０  積立金の現在額確認ページ
サーバ１３０は、後述する共済企画についての積立金の現在額を示すウェブページ（図示せず。）を提示することができる。サーバ１３０は、当該額を、後述する共済ＤＢを検索することにより取得することができる。
【００５２】
１−２−１１  共済企画紹介ページ
図２Ｅは、サービスのユーザから投稿された共済企画を紹介するためのウェブページ（以下、「共済企画紹介ページ」という。）の例を示している。
【００５３】
２６１及び２６２は、共済企画をそれぞれ示す１以上のＵＩコンポーネントを示している。この共済企画は、加入者募集中のもの（２６１が示す）及び加入者募集中ではなく既に成立したもの（２６２が示す）の一方又は双方を含むことができる。
【００５４】
ここで、「共済企画を示す」とは、共済企画の内容の少なくとも一部及び当該共済企画についての情報の一方又は双方を示すことをいう。図２Ｅにおいては、例示として、共済企画の内容の少なくとも一部として、共済名（「共済企画Ａ」等）及び共済制度概要（「〜を保証」）が、当該共済企画についての情報として、加入人数が最低加入人数の何％を達成しているか（「達成状況」）及び加入者募集期間の満了までの日数（「残り１１日」等）がそれぞれ示されている。なお、共済企画についての情報は、後述する共済ＤＢに記憶された生の情報から、サーバ１３０が生成することができる。
【００５５】
ＵＩコンポーネント２６１は、当該ＵＩコンポーネントが示す共済企画の詳細を示すウェブページ（図示せず）又は当該共済企画についての共済加入申込ページへのリンクとして機能するものであってよい。なお、ＵＩコンポーネント２６２は、当該ＵＩコンポーネントが示す共済企画の詳細を示すウェブページへのリンクとして機能するものであってよい。
【００５６】
また、共済企画の詳細を示す上記ウェブページは、当該共済企画についての共済加入申込ページへのリンクとして機能するＵＩコンポーネントを含んでいてもよい。更に、共済企画の詳細を示す上記ウェブページは、当該共済企画を後述するお気に入りものとしてブックマークすることをサーバ１３０に要求するためのＵＩコンポーネントを更に含んでいてもよい。要求を受けたサーバ１３０は、ブックマークする共済企画の共済ＩＤと、要求をしたユーザのユーザＩＤとを記憶することができる。サーバ１３０が記憶する手法は任意であるが、例えば、後述する共済ＤＢの形式で記憶することができる。
【００５７】
なお、共済企画紹介ページは、サービスのいわゆるトップページとして用いることができるものであり、ユーザがサービスに登録していない状態又は登録はしているがログインしていない状態であっても提示することができる。
【００５８】
ここで、ユーザがログインしているかどうかに応じて、共済企画紹介ページにおいて示される共済企画を異なるものとしてもよい。例えば、共済企画紹介ページは、ユーザがログインしている場合には、紹介可能な全ての共済企画を示し、ユーザがログインしていない場合には、紹介可能な全ての共済企画のうちの一部のみを示すものであってよい。共済企画紹介ページは複数のウェブページから構成されてよく、従って、共済企画紹介ページのうちの１つのウェブページが含むＵＩコンポーネントは、紹介可能な全ての共済企画のうちの一部、又は、紹介可能なすべての共済企画のうちの一部のうちの更に一部を示すものであってよい。
【００５９】
また、共済企画紹介ページは、ユーザがログインしているかどうかに応じて、機能の異なるＵＩコンポーネントを含んでいてもよい。例えば、ログインしたユーザからの要求に対して提示される共済企画紹介ページは、共済企画を示し、共済企画への共済加入申込ページへの直接的又は間接的なリンクとして機能するＵＩコンポーネントと、共済企画投稿ページへのリンクとして機能するＵＩコンポーネントを含む一方、ログインしたユーザでないユーザからの要求に対して提示される共済企画紹介ページは、共済企画を示すが、ログインページへのリンク又はユーザ登録をするためのウェブページへの直接的又は間接的なリンクとして機能するＵＩコンポーネントを含むものであってよい。
【００６０】
１−２−１２  マイページ
図２Ｆは、サービスのユーザ固有のマイページの例を示している。
２７１〜２７４は、共済企画をそれぞれ示すＵＩコンポーネントを示している。これら共済企画は、お気に入りの共済企画、自分が共済企画ユーザである共済企画、加入申込をしたがまだ共済として実施される前の共済企画、加入申込をして共済として実施されている共済企画のうちの１以上を含むことができる。
【００６１】
お気に入りの共済企画を示すＵＩコンポーネント２７１は、当該共済企画についての共済加入申込ページへのリンクとして機能するＵＩコンポーネント２７５及び当該共済企画をお気に入りから外すようサーバ１３０に要求するためのＵＩコンポーネント２７６の一方又は双方を更に含んでいてもよい。
【００６２】
自分が共済企画ユーザである共済企画を示すＵＩコンポーネント２７２は、当該共済企画についての共済企画修正ページ及び企画取消申請ページへのリンクとしてそれぞれ機能するＵＩコンポーネント２７７及び２７８の一方又は双方を更に含んでいてもよい。当該共済企画の後述する共済管理ステータスに応じて、ＵＩコンポーネント２７２は、ＵＩコンポーネント２７７及び２７８に代えて、当該共済企画についての共済加入申込ページへのリンクとして機能するＵＩコンポーネント（図示せず）を含んでいてもよい。
【００６３】
加入申込をしたがまだ共済として実施される前の共済企画を示すＵＩコンポーネント２７３は、当該共済加入申込についての加入取消申請ページへのリンクとして機能するＵＩコンポーネント２７９を更に含んでいてもよい。
【００６４】
加入申込をして共済として実施された共済企画を示すＵＩコンポーネント２７４は、当該共済企画についての事故連絡ページへのリンクとして機能するＵＩコンポーネント２８０及び当該共済についての共済解約申請ページへのリンクとして機能するＵＩコンポーネント２８１の一方又は双方を更に含んでいてもよい。
【００６５】
なお、マイページは複数のウェブページから構成されてよく、従って、１つのマイページが含むＵＩコンポーネントは、上記のような共済企画のうちの一部を示すものであってよい。
【００６６】
１−３  サーバ１３０が管理端末１４０に提示するウェブページ
コンピュータ・システムにおいて、管理端末１４０もサーバ１３０にウェブページを要求し、要求に応答してサーバ１３０はウェブページを提示する。以下、要求に応答してサーバ１３０が管理端末１４０に提示するウェブページの例について説明する。
【００６７】
１−３−１  サービス事業者のログインページ
サービス事業者がサービスを管理するために、サービス事業者も管理者としてサービスにログインするようにコンピュータ・システムを構成することができる。管理者としてのログインについての動作は、ユーザのログインと同様であるため、そのログインページについては省略する。また、サーバ１３０は、何らかのウェブページ、例えば、管理者の管理ページ（図示せず）を提示することができる。
【００６８】
ログインが成功した際、サーバ１３０は、ログインした管理者と関連付けてセッションＩＤを生成して記憶し、何らかのウェブページを提示するとともにセッションＩＤを返信することができ、管理端末１４０は、以後、サーバ１３０に対してウェブページを要求するときに、返信されたセッションＩＤを同時に送信することができる。このようにすることで、以後、サーバ１３０は、通信を受けたときに、送信されてきたセッションＩＤが管理者を特定するものであると判定することにより、その通信が管理端末１４０からのものであると判定することができる。言い換えると、セッションＩＤは、管理者が特定される情報でもあるといえる。
【００６９】
１−３−２  共済内容編集ページ
図３Ａは、ユーザが投稿した１件の共済企画の内容を確認・修正（追加を含む。以下同じ。）し、共済企画を管理するためのウェブページ（以下、「共済内容編集ページ」という。）の例を表している。
【００７０】
３１１は、共済企画のステータス（以下、「共済管理ステータス」という。）を示し、変更するためのＵＩコンポーネントを示している。共済管理ステータスは、例えば、
作成中、
審査着手待ち、
審査中（企画ユーザ編集不可）、
審査中（企画ユーザ編集可）、
不採用、
企画ユーザの確認待ち、
加入者募集中、
成立済み、
未成立、
共済有効期間中、
共済金支払終了、
共済期間終了、
残金清算完了、
キャンセル
を含むが、これらに限定されるわけではないし、これらの一部は含まれない場合もある。
【００７１】
３１２は、共済企画の内容を示すＵＩコンポーネントを示している。ＵＩコンポーネント３１２の少なくとも一部は、その内容を修正可能なようになっている。
３１３は、共済企画の内容の確認・修正を終えるためのＵＩコンポーネントを示している。管理者からのＵＩコンポ―ネント３１３の選択を受けると、管理端末１４０は、少なくとも設定すべき共済管理ステータス及び修正された可能性のある共済企画の内容をサーバ１３０に送信する。
【００７２】
後述するように、コンピュータ・システムにおいては、共済管理ステータス（並びに後述する契約管理ステータス及び事故ステータス）を含むステータスに応じて共済運用方法が進行する。従って、ＵＩコンポーネント３１１及び３１３は、サーバ１３０にステータスに対応した通知をするためのものであるといえる。この点は、後述する契約管理ステータスに関連したＵＩコンポーネント３２１及び３２３並びに事故管理ステータスに関連した３３１及び３３３についても同様である。
【００７３】
１−３−３  契約内容編集ページ
図３Ｂは、ユーザからの１件の共済加入申込即ち契約の内容を確認・修正し、契約を管理するためのウェブページ（以下、「契約内容編集ページ」という。）の例を表している。
【００７４】
３２１は、契約のステータス（以下、「契約管理ステータス」という。）を示し、変更するためのＵＩコンポーネントを示している。契約管理ステータスは、例えば、
共済申込済み、
カード認証不可、
（決済会社）承認済み、
共済申込キャンセル、
掛金収納済み、
共済申込承認、
共済申込拒否、
決済不可、
解約申請中、
解約済み、
解約返戻金支払済み、
清算金支払済み
を含むが、これらに限定されるわけではないし、これらの一部は含まれない場合もある。
【００７５】
３２２は、契約の内容を示すＵＩコンポーネントを示している。ＵＩコンポーネント３２２の少なくとも一部は、その内容を修正可能なようになっている。
３２３は、契約の内容の確認・修正を終えるためのＵＩコンポーネントを示している。管理者からのＵＩコンポ―ネント３２３の選択を受けると、管理端末１４０は、少なくとも設定すべき契約管理ステータス及び修正された可能性のある契約の内容をサーバ１３０に送信する。
【００７６】
１−３−４  事故受付編集ページ
図３Ｃは、ユーザからの１件の事故連絡の内容を確認・修正し、事故連絡を管理するためのウェブページ（以下、「事故受付編集ページ」という。）を表している。
【００７７】
３３１は、事故連絡のステータス（以下、「事故管理ステータス」という。）を示し、設定するためのＵＩコンポーネントを示している。事故管理ステータスは、例えば、
未確認、
調査中、
支払拒否、
支払済み
を含むが、これらに限定されるわけではないし、これらの一部は含まれない場合もある。
【００７８】
３３２は、事故連絡の内容を示すＵＩコンポーネントを示している。ＵＩコンポーネント３３２の少なくとも一部は、その内容を修正可能なようになっている。
３３３は、当該事故の内容の確認・修正を終えるためのＵＩコンポーネントを示している。管理者からのＵＩコンポ―ネント３３３の選択を受けると、管理端末１４０は、設定すべき事故管理ステータス及び修正された可能性のある事故連絡の内容をサーバ１３０に送信する。
【００７９】
１−４  共済運用のフェーズという観点からの共済運用方法
以下、共済運用方法について、共済運用のフェーズに分けて説明する。以下に述べる各ステップを、ハードウェア資源とソフトウェアとの協働によりコンピュータが実行できることは、当業者には明らかであろう。なお、「コンピュータ」について、その一例を節４にて説明しているので、参照されたい。
【００８０】
１−４−１  共済企画フェーズ
図４は、ユーザが共済企画を投稿する段階の共済運用方法を含む、例示の共済企画フェーズのシーケンス図である。
【００８１】
４０２は、共済企画投稿ページを、クライアント１１０がサーバ１３０に要求するステップを示し、４０４は、要求に応じて、共済企画投稿ページを、サーバ１３０がクライアント１１０に提示するステップを示し、４０６は、クライアント１１０が、共済企画投稿ページを表示するステップを示し、４０８は、共済企画の内容を、クライアント１１０がサーバ１３０に送信するステップを示している。なお、共済企画投稿ページへのリンクを、共済企画紹介ページやマイページ等が含むように構成することができ、共済企画投稿ページの要求は、共済企画紹介ページやマイページ等を介して行うことができる。
【００８２】
４１０は、サーバ１３０が、内容を受信した共済企画を特定する共済ＩＤを生成するステップを示している。このステップにおいて、サーバ１３０は、生成した共済ＩＤを共済企画ユーザに通知することができる。
【００８３】
４１２は、サーバ１３０が、共済ＩＤ及び共済企画ユーザのユーザＩＤとともに共済企画の内容を記憶し、共済企画に関連した共済管理ステータスを「審査着手待ち」に設定するステップを示している。共済管理ステータスの設定又は変更手法は任意であるが、例えば、設定又は変更される共済管理ステータスの状態を示す任意の情報を共済企画に関連付けてサーバ１３０が記憶することにより実現できる。サーバ１３０が記憶する手法は任意であるが、例えば、後述する共済ＤＢの形式で記憶することができる。
【００８４】
サーバ１３０は、共済企画の共済管理ステータスが所定のステータスになったときに、共済企画ユーザに対して、当該共済企画についての共済企画修正ページの提示を開始するように構成することができる。この所定のステータスは、「作成中」、「審査着手待ち」及び「審査中（企画ユーザ編集可）」を含むことができる。
【００８５】
詳細には、サーバ１３０は、ユーザが特定される情報をともなうマイページを提示する要求を受けたときに、当該ユーザのマイページが記述されたデータを動的に生成するように構成することができる。データが動的に生成されるこのマイページは、当該ユーザが共済企画ユーザである共済企画であって、その共済管理ステータスが「作成中」、「審査着手待ち」又は「審査中（企画ユーザ編集可）」である共済企画を示すＵＩコンポーネント、例えばＵＩコンポーネント２７２（図２Ｆを参照）を含むものであってよい。サーバ１３０は、そのような１以上の共済企画を、節１−６−１にて後述する共済ＤＢを検索することにより特定することができる。
【００８６】
また、サーバ１３０は、ユーザのマイページ等において、当該ユーザが投稿した共済企画の共済管理ステータス及び共済管理ステータスに対応したメッセージの一方又は双方を示すように構成することができる。
【００８７】
サーバ１３０は、共済管理ステータスが所定のステータスとなった共済企画について、共済内容編集ページの提示を開始するように構成することができる。この所定のステータスは、「審査着手待ち」を含むことができる。従って、共済企画の共済ステータスを「審査着手待ち」に設定するステップは、当該共済企画についての共済内容編集ページの提示を開始するステップの一例であるといえる。
【００８８】
また、サーバ１３０は、管理ページ又は管理ページにおいて直接的に又は間接的にリンクされているウェブページ（以下、「管理ページ等」という。）において、共済管理ステータスが所定のステータスである共済企画がある旨を示すように構成することができる。
【００８９】
４１４は、共済企画についての共済内容編集ページを、管理端末１４０がサーバ１３０に要求するステップを示している。このステップは、管理ページ等を参照した管理者が、共済管理ステータスが「審査着手待ち」である共済企画の投稿があったこと知ったとき等、任意のタイミングで発生しうる。
【００９０】
４１６は、要求に応じて、共済内容編集ページを、サーバ１３０が管理端末１４０に提示するステップを示し、４１８は、管理端末１４０が、共済内容編集ページを表示するステップを示している。
【００９１】
４２０は、共済企画の共済管理ステータスを変更するよう、管理端末１４０がサーバ１３０に要求するステップを示し、４２２は、要求に応じて、サーバ１３０が当該共済企画の共済管理ステータスを変更するステップを示している。ステップ４２０に付随して、管理者は、電子メールを含む任意の手法により共済企画ユーザに連絡をとることができる。
【００９２】
ステップ４２０及び４２２について詳述すると、例えば、共済企画についての共済内容編集ページを参照した管理者が、当該共済企画を採用すると判断したときには、当該共済企画の共済管理ステータスを所定のステータスに変更するよう要求することができる。この所定のステータスは、「企画ユーザの確認待ち」を含むことができる。なお、「企画ユーザの確認待ち」は、共済企画を採用したことに対応する共済管理ステータスの一例である。
【００９３】
また、例えば、管理者が、共済企画について、その内容を共済企画者側が修正すべきと判断した場合には、「共済管理ステータスを審査中（企画ユーザ編集可）」に変更するよう要求することができる。
【００９４】
例えば、管理者が、投稿された共済企画について、投稿された共済企画を採用するかどうか判断するのに時間がかかると判断したときには、共済管理ステータスを「審査中（企画ユーザ編集不可）」に変更するよう要求することができる。
【００９５】
更に、例えば、管理者が、投稿された共済企画について、採用することができないと判断したときには、共済管理ステータスを「不採用」に変更するように要求することができる。なお、共済管理ステータスが「不採用」に変更された場合には、以降のステップは発生しないものとしてよい。
【００９６】
従って、ステップ４１４〜４２２は１回以上発生しうる。以下の説明では、最終的に共済管理ステータスが「企画ユーザの確認待ち」に変更されたものとしている。
採用された共済企画への加入者の一般募集は、共済企画ユーザの本人確認ができた後に行うことが好ましい。また、共済企画には、共済企画ユーザ自身が加入することが好ましい。更に、ユーザの共済企画への加入は、当該ユーザの本人確認ができることを前提とすることができる。従って、共済企画が採用されたときに、共済企画ユーザからの共済加入申込を受けるようにすることができる。
【００９７】
詳細には、サーバ１３０は、共済管理ステータスが所定のステータスとなった共済企画について、共済企画ユーザに対して共済加入申込ページの提示を開始するように構成することができる。このとき、共済企画ユーザ以外のユーザに対して、共済加入申込ページの提示を開始する必要はない。この所定のステータスは、「企画ユーザの確認待ち」を含むことができる。
【００９８】
より詳細には、サーバ１３０によりデータが動的に生成される、ユーザのマイページは、当該ユーザが共済企画ユーザである共済企画であって、その共済管理ステータスが「企画ユーザの確認待ち」である共済企画を示すＵＩコンポーネント（図示せず）を含むことができ、このＵＩコンポーネントは、当該共済企画についての共済加入申込ページへのリンクとして機能するＵＩコンポーネントを更に含むものであってよい。サーバ１３０は、そのような１以上の共済企画を、共済ＤＢを検索することにより特定することができる。
【００９９】
従って、共済企画の共済ステータスを「企画ユーザの確認待ち」に変更するステップは、当該共済企画の共済企画ユーザが特定される情報をともなう要求に応じた、当該共済企画についての前記共済加入申込ページの提示を開始するステップの一例であるといえる。
【０１００】
４２４は、共済企画についての共済加入申込ページを、クライアント１１０がサーバ１３０に要求するステップを示している。このステップは、マイページ等を参照するか又は管理者からの連絡を受けた共済企画ユーザが、投稿した共済企画の採用を認識したとき等、任意のタイミングで発生しうる。
【０１０１】
４２６は、要求に応じて、共済加入申込ページを、サーバ１３０がクライアント１１０に提示するステップを示し、４２８は、クライアント１１０が共済加入申込ページを表示するステップを示し、４３０は、共済加入申込の内容をクライアント１１０がサーバ１３０に送信するステップを示している。
【０１０２】
４３２は、サーバ１３０が、内容を受信した共済加入申込即ち契約を特定する契約ＩＤを生成するステップを示している。このステップにおいて、サーバ１３０は、共済加入申込をしたユーザに生成した契約ＩＤを通知することができる。
【０１０３】
４３４は、サーバ１３０が、契約ＩＤとともに共済加入申込の内容を記憶し、共済加入申込に関連した契約管理ステータスを「共済申込済み」に設定するステップを示している。記憶する共済加入申込の内容には、当該共済加入申し込みをしたユーザを特定する情報、例えばユーザＩＤを含めることができる。また、契約管理ステータスの設定又は変更手法は任意であるが、例えば、設定又は変更される契約管理ステータスの状態を示す任意の情報を共済加入申込に関連付けてサーバ１３０が記憶することにより実現できる。サーバ１３０が記憶する手法は任意であるが、例えば、後述する契約ＤＢの形式で記憶することができる。
【０１０４】
サーバ１３０によりデータが動的に生成される、ユーザのマイページは、当該ユーザが共済加入申込をした共済企画を示すＵＩコンポーネント、例えばＵＩコンポーネント２７３（図２Ｆを参照）を含むことができる。サーバ１３０は、そのような１以上の共済企画を、共済ＤＢを検索することにより特定することができる。
【０１０５】
また、サーバ１３０は、ユーザのマイページ等において、当該ユーザが行った共済加入申込の契約管理ステータス及び契約管理ステータスに対応したメッセージの一方又は双方を示すように構成することができる。
【０１０６】
更に、サーバ１３０は、契約管理ステータスが所定のステータスとなった共済加入申込について、契約内容編集ページの提示を開始するように構成することができる。この所定のステータスは、「共済申込済み」及び後述する「（決済会社）承認済み」の一方又は双方を含むことができる。従って、共済加入申込の契約管理ステータスを「共済申込済み」及び「（決済会社）承認済み」の一方又は双方に変更することは、当該共済加入申込についての契約内容編集ページの提示を開始するステップの一例であるといえる。
【０１０７】
なお、サーバ１３０は、管理ページ等において、契約管理ステータスが所定のステータスである共済企画がある旨を示すように構成することができる。
４３６は、サーバ１３０が、契約者の本人確認を行うステップを示している。サーバ１３０は、契約者のクレジットカード情報に基づき、当該クレジットカードが有効であるときに、本人確認ができたと判定することができる。なお、この時点で契約者のクレジットカード情報をサーバ１３０が利用可能でないときには、任意の手法により、契約者に情報を要求することができる。なお、クレジットカードが有効であるかどうかは、クレジットカード事業者のコンピュータへの通信を介して判定することができる。
【０１０８】
４３８は、本人確認の結果に基づいて、サーバ１３０が、本人確認をした共済加入申込の契約管理ステータスを変更するステップを示している。ここで、ステップ４３６において本人確認ができたと判定したときには、契約管理ステータスを「（決済会社承認済み）」に、本人確認ができなかったと判定したときには、契約管理ステータスを「カード認証不可」に変更することができる。なお、契約管理ステータスが「カード認証不可」に変更された場合には、以降のステップは発生しないものとしてよい。以下の説明では、契約管理ステータスが「（決済会社）承認済み」に変更されたものとしている。
【０１０９】
４４０は、契約内容編集ページを、管理端末１４０がサーバ１３０に要求するステップを示している。このステップは、管理ページ等を参照した管理者が、本人確認がなされた共済加入申込の存在を知ったとき等、任意のタイミングで発生しうる。
【０１１０】
４４２は、要求に応じて、契約内容編集ページを、サーバ１３０が管理端末１４０に提示するステップを示し、４４４は、管理端末１４０が、契約内容編集ページを表示するステップを示している。
【０１１１】
４４６は、共済加入申込の契約管理ステータスを変更するよう、管理端末１４０がサーバ１３０に要求するステップを示し、４４８は、要求に応じてサーバ１３０が当該共済加入申込の契約管理ステータスを変更するステップを示している。ステップ４４６に付随して、管理者は、電子メールを含む任意の手法により契約者に連絡をとることができる。
【０１１２】
これらステップについて詳述すると、管理者が、共済加入申込の内容を目視で確認した結果、何らかの理由により共済加入申込を拒否するときには、契約管理ステータスを「共済申込拒否」に変更するよう要求することができる。そうでない場合には、契約管理ステータスを「共済申込承認」に変更するよう要求することができる。なお、ステップ４４６は、契約者に連絡をとった後、最終的な決定として行うことができる。なお、「共済申込承認」は、共済加入申込を承認したことに対応する契約管理ステータスの一例である。
【０１１３】
以上が、共済企画フェーズの主なステップである。しかしながら、共済企画フェーズが含むステップは、これらに限定されるわけではないし、これらの一部は含まれない場合もあることに留意されたい。
【０１１４】
例えば、共済企画フェーズは、共済企画修正ページを、クライアント１１０がサーバ１３０に要求するステップと、要求に応じて、共済企画修正ページを、サーバ１３０がクライアント１１０に提示するステップと、クライアント１１０が、共済企画修正ページを表示するステップと、修正された共済企画の内容（修正すべき共済企画の共済ＩＤを含みうる）を、クライアント１１０がサーバ１３０に送信するステップと、修正された共済企画の内容を受信した共済企画の内容としてステップ４１２を実行するステップとを含むことができる。
【０１１５】
また、共済企画フェーズは、企画取消申請ページを、クライアント１１０がサーバ１３０に要求するステップと、要求に応じて、企画取消申請ページを、サーバ１３０がクライアント１１０に提示するステップと、クライアント１１０が、企画取消申請ページを表示するステップと、取り消すべき共済企画の共済ＩＤを、クライアント１１０がサーバ１３０に送信するステップと、サーバ１３０が、受信した共済ＩＤにより特定される共済企画の共済管理ステータスを「キャンセル」に変更するステップとを含むことができる。
【０１１６】
更に、ステップ４１２において、共済企画に関連した共済管理ステータスを「作成中」に設定することもできる。このような共済管理ステータスの変更は、共済企画投稿ページ及び共済企画修正ページが含みうる、入力された内容に基づく共済企画を下書きとして投稿するためのＵＩコンポーネント（図示せず）が選択されたときに、クライアント１１０がサーバ１３０に要求することができる。
【０１１７】
１−４−２  共済加入者募集フェーズ
図５は、共済企画について加入者を募集する段階の共済運用方法を含む、例示の共済加入者募集フェーズのシーケンス図である。
【０１１８】
５０２は、サーバ１３０が、共済企画の加入者募集を開始すべきと判定するステップを示している。加入者募集を開始すべきと判定される共済企画は、その共済企画ユーザからの共済加入申込の契約管理ステータスが「共済申込承認」であり、且つ、その加入者募集期間の始まりを過ぎた共済企画であることができる。なお、このステップは、所定の周期で又はランダムな周期で他のステップとは非同期に繰り返される、加入者募集を開始すべき共済企画があるかを判定するステップの一部として実現できる。
【０１１９】
５０４は、サーバ１３０が、加入者募集を開始すべきと判定した共済企画の共済管理ステータスを「加入者募集中」に設定するステップを示している。
サーバ１３０は、共済管理ステータスが所定のステータスとなった共済企画について、共済加入申込ページの提示を開始するように構成することができる。この所定のステータスは、「加入者募集中」を含むことができる。
【０１２０】
詳細には、サーバ１３０は、共済企画紹介ページを提示する要求を受けたときに、共済企画紹介ページが記述されたデータを動的に生成するように構成することができる。データが動的に生成されるこの共済企画紹介ページは、共済管理ステータスが「加入者募集中」である共済企画を示すＵＩコンポーネント、例えばＵＩコンポーネント２６１（図２Ｅを参照）を含むものであってよい。サーバ１３０は、そのような１以上の共済企画を、共済ＤＢを検索することにより特定することができる。
【０１２１】
また、サーバ１３０によりデータが動的に生成される、ユーザのマイページは、共済管理ステータスが「加入者募集中」である共済企画のうち、選択された１以上の共済企画を示すＵＩコンポーネント、例えばＵＩコンポーネント２７１（図２Ｆを参照）を含むものであってよい。従って、選択された１以上の共済企画は、ユーザがお気に入りとしてブックマークしたものであってよい。サーバ１３０は、そのような１以上の共済企画を、共済ＤＢを検索することにより特定することができる。
【０１２２】
従って、共済企画の共済管理ステータスを「加入者募集中」に設定するステップは、当該共済企画についての共済加入申込ページの提示を開始するステップの一例であるといえる。
【０１２３】
５０６は、共済企画についての共済加入申込ページを、クライアント１２０がサーバ１３０に要求するステップを示している。このステップは、共済企画紹介ページ又はマイページ等を参照したユーザが、加入者募集中の共済企画の存在を認識し、検討の結果その共済企画に加入しようとしたとき等、任意のタイミングで発生しうる。
【０１２４】
５０８は、要求に応じて、共済加入申込ページを、サーバ１３０がクライアント１２０に提示するステップを示し、５１０は、クライアント１２０が共済加入ページを表示するステップを示し、５１２は、共済加入申込の内容をクライアント１２０がサーバ１３０に送信するステップを示している。
【０１２５】
５１４〜５３０は、ステップ４３２〜４４８と同様のステップを示している。但し、図５において、共済企画に加入しうるユーザは１人のみであるが、一般的には複数人存在する。従って、ステップ５０６〜５３０及び後述するステップ５３２も、複数回実行されうる。
【０１２６】
複数回行われうるステップ５１８及び５２０の実行のタイミングは任意である。例えば、ステップ５１８及び５２０は、ステップ５１６の実行のたびに行ってもよいし、ステップ５１６が所定の回数実行されたとき、言い換えると、新たに所定の数の共済加入申込の内容が記憶されたときに行ってもよい。また、例えば、ステップ５１８及び５２０は、所定の周期で、本人確認を行っていない記憶されている共済加入申込が存在するかを判定するステップを実行し、存在すると判定したときに実行してもよい。本人確認を行っていない記憶されている共済加入申込が存在するかは、例えば、契約管理ステータスが「共済申込済み」である共済加入申込があるか、又は、「カード認証不可」でも「（決済会社）承認済み」でもない共済加入申込があるかを、サーバ１３０が判定することにより実現することができる。
【０１２７】
５３２は、サーバ１３０が、共済企画への加入者の数を更新するステップを示している。ステップ５３２は、サーバ１３０が、共済企画に関連付けて加入者の数を記憶し、変更することにより実現することができる。
【０１２８】
詳細には、サーバ１３０は、１件の共済加入申込の契約管理ステータスを「共済申込承認」に変更したときに、当該共済加入申込に係る共済企画に関連付けられた加入者の数に１を加算することができる。代替として、サーバ１３０は、ステップ５１６において、内容を記憶した共済加入申込に係る共済企画に関連付けられた加入者の数に１を加算し、ステップ５３２において、当該共済加入申込の契約管理ステータスを「共済申込承認」に変更したときには何もせず、「共済申込拒否」に変更したときには、当該共済加入申込に係る共済企画に関連付けられた加入者の数から１を減算することができる。なお、加入者の数の初期値は１であってよい。また、加入者の数の初期値を０として、ステップ５３２を図４のステップ４４８の後に実行してもよい。
【０１２９】
５３４は、サーバ１３０が、共済企画について、加入者募集を終了すべきと判定するステップを示している。加入者募集を終了すべきと判定される共済企画は、当該共済企画の加入者募集期間の終わりを過ぎたか、又は、当該共済企画への加入者の数が所定の数に達した共済企画であることができる。この所定の数は、全ての共済企画において共通であることができ、例えば１０００である。なお、このステップは、所定の周期で又はランダムな周期で他のステップとは非同期に繰り返される、加入者募集を終了すべき共済企画があるかを判定するステップの一部として実現できる。
【０１３０】
５３６は、サーバ１３０が、加入者募集を終了すべきと判定した共済企画の共済管理ステータスを変更するステップを示している。このステップにおいて、サーバ１３０は、当該共済企画の加入者の数が最低加入人数以上であるかを判定し、真の場合には共済管理ステータスを「成立済み」に、偽の場合には共済管理ステータスを「未成立」に変更することができる。
【０１３１】
ステップ５３６において、サーバ１３０は、共済企画が成立したかについての電子メールを、当該共済企画の加入者に対して自動的に送信することができる。なお、共済企画の加入者は、当該共済企画への共済加入申込であって、契約管理ステータスが「共済申込承認」である共済加入申込を行ったユーザであることができる。なお、この電子メールは、後述する決済の結果についての電子メールとまとめて行ってもよい。
【０１３２】
サーバ１３０は、共済管理ステータスが所定のステータスではなくなった共済企画について、共済加入申込ページの提示を終了するように構成することができる。この所定のステータスは、「加入者募集中」を含むことができる。従って、共済企画の共済管理ステータスを「成立済み」又は「未成立」に変更するステップは、当該共済企画についての共済加入申込ページの提示を終了するステップの一例であるといえる。
【０１３３】
なお、共済管理ステータスが「未成立」に変更された共済企画については、以降のステップは発生しないものとしてよい。以下の説明では、共済企画の共済管理ステータスが「成立済み」に変更されたものとしている。
【０１３４】
なお、サーバ１３０によりデータが動的に生成される共済企画紹介ページは、共済管理ステータスが「成立済み」である共済企画を示すＵＩコンポーネント、例えばＵＩコンポーネント２６２（図２Ｅを参照）を含むことができる。サーバ１３０は、そのような１以上の共済企画を、共済ＤＢを検索することにより特定することができる。
【０１３５】
５３８は、サーバ１３０が、共済管理ステータスが「成立済み」である共済企画への各共済加入申込について、ユーザの支払情報に基づき当該共済企画の共済掛金の決済を試みるステップを示している。このステップは、サーバ１３０が、共済掛金の決済のために、共済企画への共済加入申込をしたユーザをメモリを検索して特定するステップを含むことができる。また、例えば、サーバ１３０は、当該共済加入申込を行ったユーザのクレジットカード情報に基づき、クレジットカード事業者のコンピュータへの通信を介して、共済掛金のクレジットカード決済を試みることができる。また、サーバ１３０は、当該共済加入申込を行ったユーザの金融機関の口座情報に基づき、金融機関のコンピュータへの通信を介して、口座からの共済掛金の引き落としを試みることができる。
【０１３６】
５４０は、サーバ１３０が、共済掛金の決済を試みた共済加入申込について、決済の結果に基づき契約管理ステータスを変更するステップを示している。サーバ１３０は、決済が成功した共済加入申込の契約管理ステータスを「掛金収納済み」に、決済が成功しなかった共済加入申込の契約管理ステータスを「決済不可」に変更することができる。
【０１３７】
ステップ５４０において、サーバ１３０は、共済掛金の決済が成功したかについての電子メールを、当該決済を試みたユーザに対して自動的に送信することができる。
なお、共済企画に共済加入申込するユーザは複数人存在するから、ステップ５３８及び５４０は、複数回実行されうることに留意されたい。
【０１３８】
以上が、共済加入者募集フェーズの主なステップである。しかしながら、共済加入者募集フェーズが含むステップは、これらに限定されるわけではないし、これらの一部は含まれない場合もあることに留意されたい。
【０１３９】
サーバ１３０は、共済管理ステータスが所定のステータスとなった共済企画について、当該共済企画に共済加入申込をしたユーザに対し、加入取消申請ページの提示を開始し、共済管理ステータスが所定のステータスでなくなった共済企画について、加入取消申請ページの提示を終了するように構成することができる。この所定のステータスは、「加入者募集中」を含むことができる。
【０１４０】
詳細には、サーバ１３０によりデータが動的に生成される、ユーザのマイページは、当該ユーザが共済加入申込をした共済企画であって、その共済管理ステータスが「加入者募集中」である共済企画を示すＵＩコンポーネント、例えばＵＩコンポーネント２７３（図２Ｆを参照）を含むものであってよい。サーバ１３０は、そのような１以上の共済企画を、共済ＤＢを検索することにより特定することができる。
【０１４１】
従って、例えば、共済加入申込フェーズは、加入取消申請ページを、クライアントがサーバ１３０に要求するステップと、要求に応じて、加入取消申請ページを、サーバ１３０がクライアントに提示するステップと、クライアントが、加入取消申請ページを表示するステップと、取り消すべき共済加入申込の契約ＩＤを、クライアントがサーバ１３０に送信するステップと、サーバ１３０が、受信した契約ＩＤにより特定される共済加入申込の契約管理ステータスを「共済申込キャンセル」に変更するステップとを含むことができる。
【０１４２】
なお、サーバ１３０は、共済企画への共済加入申込の契約管理ステータスが「共済申込キャンセル」となったときに、当該共済企画への加入者の数を更新することができる。
また、サーバ１３０は、共済企画について、共済企画ユーザの共済加入申込の契約管理ステータスが「共済申込キャンセル」となったときに、当該共済企画の共済管理ステータスを「キャンセル」に変更することができる。
【０１４３】
１−４−３  共済有効期間フェーズ
図６は、共済企画を共済として開始する段階の共済運用方法を含む、例示の共済有効期間フェーズのシーケンス図である。
【０１４４】
６０２は、サーバ１３０が、共済企画を共済として開始すべきと判定するステップを示している。開始すべきと判定される共済企画は、共済管理ステータスが「成立済み」の共済企画であって、共済開始予定日になった共済企画であることができる。なお、このステップは、所定の周期で又はランダムな周期で他のステップとは非同期に繰り返される、開始すべき共済企画があるかを判定するステップの一部として実現できる。
【０１４５】
６０４は、サーバ１３０が、開始すべきと判定した共済企画の共済管理ステータスを「共済有効期間中」に設定するステップを示している。
サーバ１３０は、共済管理ステータスが所定のステータスとなった共済企画について、少なくとも当該共済企画の実際の加入者に対して事故連絡ページの提示を開始することができる。この所定のステータスは、「共済有効期間中」を含むことができる。
【０１４６】
詳細には、サーバ１３０によりデータが動的に生成される、ユーザのマイページは、当該ユーザが実際の加入者である共済企画であって、その共済管理ステータスが「共済有効期間中」である共済企画を示すＵＩコンポーネント、例えばＵＩコンポーネント２７４（図２Ｆを参照）を含むものであってよい。サーバ１３０は、そのような１以上の共済企画を、共済ＤＢを検索することにより特定することができる。
【０１４７】
従って、ステップ６０２及び５０４は、全体として、当該共済企画についての事故連絡ページの提示を開始するステップの一例であるといえる。なお、共済企画の実際の加入者は、当該共済企画への共済加入申込であって、契約管理ステータスが「掛金収納済み」である共済加入申込を行ったユーザであることができる。
【０１４８】
６０６は、共済企画についての事故連絡ページを、クライアントがサーバ１３０に要求するステップを示している。このステップは、当該共済企画の支払事由に該当する可能性のある事故が発生したときに実行されうる。
【０１４９】
６０８は、事故連絡ページを、サーバ１３０がクライアントに提示するステップを示し、６１０は、クライアントが事故連絡ページを表示するステップを示し、６１２は、事故連絡の内容を、クライアントがサーバ１３０に送信するステップを示している。
【０１５０】
６１４は、サーバ１３０が、内容を受信した事故連絡を特定する事故ＩＤを生成するステップを示している。このステップにおいて、サーバ１３０は、事故連絡をしたユーザに生成した事故ＩＤを通知することができる。
【０１５１】
６１６は、事故ＩＤとともに事故連絡の内容を記憶し、事故連絡に関連した事故管理ステータスを「未確認」に設定するステップを示している。
記憶する事故連絡の内容は、当該事故連絡をしたユーザを特定する情報、例えばユーザＩＤと、事故連絡に係る共済企画を特定する情報、例えば共済ＩＤとを含めることができる。また、事故管理ステータスの設定又は変更手法は任意であるが、例えば、設定又は変更される事故管理ステータスの状態を示す任意の情報を事故連絡に関連付けてサーバ１３０が記憶することにより実現できる。サーバ１３０が記憶する手法は任意であるが、例えば、後述する事故ＤＢの形式で記憶することができる。
【０１５２】
サーバ１３０は、ユーザのマイページ等において、当該ユーザが行った事故連絡の事故管理ステータス及び事故管理ステータスに対応したメッセージの一方又は双方を示すように構成することができる。
【０１５３】
サーバ１３０は、事故管理ステータスが所定のステータスとなった事故連絡について、事故受付編集ページの提示を開始するように構成することができる。この所定のステータスは、「未確認」を含むことができる。従って、事故連絡の事故管理ステータスを「未確認」に設定するステップは、当該事故連絡についての事故受付編集ページの提示を開始するステップの一例であるといえる。
【０１５４】
また、サーバ１３０は、管理ページ等において、事故管理ステータスが所定のステータスである事故連絡がある旨を示すように構成することができる。
６１８は、事故連絡についての事故受付編集ページを、管理端末１４０がサーバ１３０に要求するステップを示している。このステップは、管理ページ等を参照した管理者が、未確認の事故連絡の存在を認識したとき等、任意のタイミングで発生しうる。
【０１５５】
６２０は、要求に応じて、事故受付編集ページが記述されたデータを、サーバ１３０が管理端末１４０に返信するステップを示し、６２２は、管理端末１４０が、事故受付ページを表示するステップを示している。
【０１５６】
６２４は、事故連絡の事故管理ステータスを変更するよう、管理端末１４０がサーバ１３０に要求するステップを示し、６２６は、要求に応じて、サーバ１３０が当該事故連絡の事故管理ステータスを変更するステップを示している。
【０１５７】
ステップ６２４及び６２６について詳述すると、例えば、事故連絡についての事故受付編集ページを参照した管理者は、当該事故連絡の事故管理ステータスを「調査中」に変更するよう要求し、事故連絡に係る事故についての詳細な調査をするために必要な書類をユーザから郵送で受け取るために、電子メールを含む任意の手法によりユーザに連絡をとることができる。この連絡には、書類のひな型のＰＤＦファイルを添付することができる。
【０１５８】
また、事故連絡に係る事故についての詳細な調査をするために必要な書類をユーザから受け取り、調査を行った管理者は、調査の結果、当該事故が共済企画の支払事由に該当しなかったときには、当該事故連絡の事故管理ステータスを「支払拒否」に変更するよう要求し、その旨を電子メールを含む任意の手法によりユーザに連絡することができる。事故管理ステータスが「支払拒否」に変更された場合には、以降のステップは発生しないものとしてよい。
【０１５９】
一方、事故連絡に係る事故が共済企画の支払事由に該当したときには、共済金を支払うべく、事故連絡をしたユーザの金融機関の口座に共済金を振り込み、当該事故連絡の事故管理ステータスを「支払済み」に変更するよう要求し、その旨を電子メール含む任意の手法によりユーザに連絡することができる。このとき、当該共済企画の積立金（後述する）の残額が支払額に満たない場合には、残額を共済金として振り込むことができる。
【０１６０】
従って、ステップ６１８〜６２６は１回以上発生しうる。以下の説明では、最終的に事故管理ステータスが「支払済み」に変更されたものとしている。
なお、共済金の振り込みについて、支払い事由に該当する所定の数の事故連絡がなされたときに又は特定の期日に、１以上の振り込みをまとめて行ってもよい。その際、積立金の残額が当初の支払額に満たない場合には、残額を等分したものを共済金として振り込んでもよい。１円に満たない端数の取扱については、任意である。
【０１６１】
６２８は、事故管理ステータスが「支払済み」に変更された事故連絡に係る共済企画について、積立金の額を更新するステップを示している。サーバ１３０は、共済企画の共済掛金と実際の加入者の数とから、決済された共済掛金の合計を予め計算して、積立金の現在額（このときは、当初の額である。）として後述する共済ＤＢに記憶するように構成することができる。積立金の額の更新は、決済された共済掛金の合計から支払われた共済金の合計及び事務管理手数料を減算した額である積立金の現在額を計算して、当該共済企画に関連付けてメモリに格納する、より詳細には、計算した現在額で上記共済ＤＢに既に格納されている現在額を置き換えることにより実現することができる。ここで、事務管理手数料は、決済された共済掛金の合計と所定の率との積であってよい。
【０１６２】
なお、サーバ１３０が管理端末１４０に提供する任意のウェブページ、例えば、事故受付編集ページは、事故連絡について支払われた共済金の額を入力するためのＵＩコンポーネント（図示せず）を含むことができ、これにより、サーバ１３０は、例えばステップ６２４が行われると同時に、共済企画について支払われた共済金の合計を計算するために、事故連絡について支払われた共済金の額を示す情報を受信することができる。
【０１６３】
６３０は、サーバ１３０が、共済企画について、積立金の残額が所定の額未満になったかを判定するステップを示し、６３２は、残額が所定の額未満になったと判定した場合の処理を行うステップを示している。なお、所定の額は、当該共済企画の共済金の当初の支払額であってよい。
【０１６４】
ステップ６３０の一例は、サーバ１３０が、当該共済企画についての積立金の残額が所定の額未満になった旨を通知する電子メールを、当該共済企画の実際の加入者に対して送信するステップである。このステップ自体は、共済管理ステータスに変更を加えるものではない。従って、共済企画についての事故連絡ページの提示は終了せず、このステップの後も、１以上の事故連絡を受け付けうる。
【０１６５】
ステップ６３０の別の一例は、サーバ１３０が、当該共済企画についての共済管理ステータスを「共済金支払終了」に設定するステップである。このステップによると、共済管理ステータスは「共済有効期間中」ではなくなるから、後述するように、共済企画についての事故連絡ページの提示は終了する。
【０１６６】
ステップ６３０の更に別の一例は、上記二つの例の組み合わせである。
サーバ１３０は、共済管理ステータスが所定のステータスとなった共済企画について、事故連絡ページの提示を終了するように構成することができる。この所定のステータスは、「共済金支払終了」を含むことができる。従って、共済企画についての共済管理ステータスを「共済金支払終了」に設定するステップは、当該共済企画についての事故連絡ページの提示を終了するステップの一例であるといえる。
【０１６７】
以上が、共済有効期間フェーズの主なステップである。共済金有効期間フェーズが含むステップは、これらに限定されるわけではないし、これらの一部は含まれない場合もあることに留意されたい。特に、事故が発生しなかった場合には、事故連絡はなされないことに留意されたい。
【０１６８】
サーバ１３０は、共済管理ステータスが所定のステータスとなった共済企画について、当該共済企画の実際の加入者に対して共済解約申請ページの提示を開始し、共済管理ステータスが所定のステータスでなくなった共済企画について、共済解約申請ページの提示を終了するように構成することができる。この所定のステータスは、「共済有効期間中」を含むことができる。
【０１６９】
従って、例えば、共済有効期間フェーズは、共済解約申請ページを、クライアントがサーバ１３０に要求するステップと、要求に応じて、共済解約申請ページを、サーバ１３０がクライアントに提示するステップと、クライアントが、共済解約申請ページを表示するステップと、解約に係る共済加入申込の契約ＩＤを、クライアントがサーバ１３０に送信するステップと、サーバ１３０が、受信した契約ＩＤにより特定される共済加入申込の契約管理ステータスを「解約申請中」に変更するステップとを含むことができる。
【０１７０】
また、共済有効期間フェーズは、解約に係る共済加入申込についての契約内容編集ページを、管理端末１４０がサーバ１３０に要求するステップと、要求に応じて、契約内容編集ページを、サーバ１３０が管理端末１４０に提示するステップと、管理端末１４０が、契約内容編集ページを表示するステップと、当該共済加入申込の契約ステータスを変更するよう、管理端末１４０がサーバ１３０に要求するステップと、要求に応じて、サーバ１３０が契約ステータスを変更するステップとを含むことができる。
【０１７１】
詳細には、解約に係る共済加入申込についての契約内容編集ページを参照した管理者は、まず、当該共済加入申込の契約ステータスを「解約済み」に変更するよう要求し、共済掛金を返金すべく、共済解約申請をしたユーザの金融機関の口座に共済掛金を振り込んだ後、当該共済加入申込の契約ステータスを「解約返戻金支払済み」に変更するよう要求することができる。
【０１７２】
また、サーバ１３０は、契約ステータスが「解約申請中」に変更された共済加入申込に係る共済企画の積立金の額を、共済掛金の額を減算することにより更新することができる。
【０１７３】
更に、共済有効期間フェーズは、要求に応じて、共済企画についての積立金の現在額確認ページを提示するステップを含むことができる。ここでｋ、積立金の現在額確認ページを提示可能な共済企画は、ステップ６０４にて共済として開始すべきと判定された共済企画であってよい。
【０１７４】
１−４−４  共済終了フェーズ
図７は、共済として開始した共済企画を終了する段階の共済運用方法を含む、例示の共済終了フェーズのシーケンス図である。
【０１７５】
７０２は、サーバ１３０が、共済企画を終了すべきと判定するステップを示している。終了すべきと判定される共済企画は、共済管理ステータスが「共済有効期間中」又は「共済金支払終了」である共済企画であって、共済開始予定日から共済期間が経過した共済企画であることができる。なお、このステップは、所定の周期で又はランダムな周期で他のステップとは非同期に繰り返される、終了すべき共済企画があるかを判定するステップの一部として実現できる。
【０１７６】
７０４は、終了すべきと判定された共済企画について、共済管理ステータスを「共済期間終了」に設定するステップを示している。ステップ７０４において、サーバ１３０は、当該共済企画が終了した旨を通知する電子メールを、当該共済企画の実際の加入者に対して自動的に送信することができる。
【０１７７】
共済企画が終了すると、サービス事業者は積立金の残額を実際の加入者に返金する。積立金の残額は、積立金の総額から支払われた共済金の総額を控除したものであってよいし、その額から更に何らかの手数料を控除したものであってもよい。また、積立金の残額は、等分して加入者に返金することができる。１円に満たない端数の取扱については、任意である。
【０１７８】
７０６は、終了した共済企画に係る１件の共済加入申込についての契約内容編集ページを、管理端末１４０がサーバ１３０に要求するステップを示している。このステップは、管理ページ等を参照した管理者が、終了した共済企画の存在を知り、積立金の残額を１人の契約者に返金したとき等、任意のタイミングで発生しうる。
【０１７９】
７０８は、１件の共済加入申込についての契約内容編集ページを、サーバ１３０が管理端末１４０に提示するステップを示し、７１０は管理端末１４０が当該共済加入申込についての契約内容編集ページを表示するステップを示し、７１２は、当該共済加入申込についての契約管理ステータスを「清算金支払済み」に設定するよう、管理端末１４０がサーバ１３０に要求するステップを示し、７１４は、要求に応じて、サーバ１３０が当該共済加入申込についての契約管理ステータスを「清算金支払済み」に設定するステップを示している。
【０１８０】
一般的に、１件の共済企画には複数の実際の加入者が存在するから、１件の共済企画に対して複数件の共済加入申込が存在する。ステップ７０６〜７１４は共済加入申込ごとに行うことができるから、ステップ７０６〜７１４は、複数回発生しうる。
【０１８１】
７１６は、共済企画についての共済内容編集ページを、管理端末１４０がサーバ１３０に要求するステップを示している。このステップは、当該共済企画の全ての実際の加入者に対して、積立金の残額の返金を完了したとき等の任意のタイミングで発生しうる。
【０１８２】
７１８は、当該共済企画についての共済内容編集ページを、サーバ１３０が管理端末１４０に提示するステップを示し、７２０は管理端末１４０が共済内容編集ページを表示するステップを示し、７２２は、当該共済企画についての共済管理ステータスを「残金清算完了」に設定するよう、管理端末１４０がサーバ１３０に要求するステップを示し、７２４は、要求に応じて、サーバ１３０が当該共済企画の共済管理ステータスを「残金清算完了」に設定するステップを示している。
【０１８３】
以上が、共済終了フェーズの主なステップである。共済終了フェーズが含むステップは、これらに限定されるわけではないし、これらの一部は含まれない場合もあることに留意されたい。ことに留意されたい。
【０１８４】
１−５  ウェブページの提示という観点からの共済運用方法
以下、共済運用方法について、共済運用のために用いられるウェブページの観点から説明する。節１−４にて上述したように、以下に述べる各ステップを、ハードウェア資源とソフトウェアとの協働によりコンピュータが実行できることは、当業者には明らかであろう。
【０１８５】
１−５−１  共済企画紹介ページ
図８は、ユーザが共済企画紹介ページを表示しようとしたときのシーケンス図である。
８０２は、共済企画紹介ページを、クライアントがサーバ１３０に要求するステップを示している。１−２−１１にて上述したように、共済企画紹介ページはサービスのトップページとして用いることができ、当該要求は、サービスにログインしたユーザ及びログインしていないユーザ（又はそもそもサービスに登録していないユーザ）の双方からなされうる。
【０１８６】
８０４は、サーバ１３０が、ステップ８０２において受信した要求が、ログインしたユーザが使用するクライアントからのものであるかを判定する、言い換えると、ログインしたユーザからのものであるかを判定するステップを示している。
【０１８７】
例えば、サーバ１３０は、ユーザが特定される情報をともなわずに共済企画紹介ページの要求を受信した場合に、当該要求はログインしたユーザからのものではないと判定する一方、ユーザが特定される情報とともに共済企画紹介ページの要求を受信した場合に、当該要求はログインしたユーザからのものあると判定することができる。
【０１８８】
８０６は、サーバ１３０が、要求がログインしたユーザからのものであるかに従って、共済企画紹介ページのデータを生成するステップを示している。ステップ８０６において、サーバ１３０は、当該データの生成に必要な情報、例えば、加入者募集中である共済企画を、メモリを検索して特定することができる。
【０１８９】
８０８は、生成された共済企画紹介ページのデータを、サーバ１３０がクライアントに送信するステップを示している。
１−５−２  マイページ
図９は、ユーザがマイページを表示しようとしたときのシーケンス図である。
【０１９０】
９０２は、マイページを、クライアントがサーバ１３０に要求するステップを示している。
９０４は、サーバ１３０が、ステップ９０２において受信した要求をしたユーザを特定するステップを示している。
【０１９１】
９０６は、サーバ１３０が、特定されたユーザに応じた所定の共済企画を、メモリを検索して特定するステップを示している。
所定の共済企画は、例えば、特定されたユーザが共済企画ユーザであり、且つ、共済企画の内容を修正可能な共済企画であることができる。サーバ１３０は、内容を修正可能な共済企画であるかを、当該共済企画の共済管理ステータスから判定することができる。サーバ１３０は、共済管理ステータスが「作成中」、「審査着手待ち」又は「審査中（企画ユーザ編集可）」である共済企画を、内容を修正可能な共済企画であると判定することができる。
【０１９２】
９０８は、サーバ１３０が、マイページのデータを生成するステップを示している。マイページは、特定された共済企画についての共済企画修正ページへのリンクとして機能するＵＩコンポーネントを含むことができる。
【０１９３】
９１０は、生成されたマイページのデータを、サーバ１３０がクライアントに送信するステップを示している。
１−６  サーバ１３０が記憶する情報
１−６−１  共済ＤＢ
共済ＤＢは、１つの行が１件の共済企画に相当するテーブルであることができる。ここで、１つの行は、
共済企画ユーザのユーザＩＤ、
共済ＩＤ、
共済名（共済企画の内容に共済名を含めない場合）
共済企画の内容（共済名を含む場合があり、それぞれ内容に相当する１以上の列から構成されうる。具体例について、節１−２−２を参照。）、
お気に入りとしてブックマークしたユーザのユーザＩＤ（１以上）、
共済加入申込をしたユーザのユーザＩＤ（１以上）、
加入者の数、
積立金の現在額、
共済管理ステータス
の列を含むことができる。
【０１９４】
１−６−２  契約ＤＢ
契約ＤＢは、１つの行が１件の共済加入申込に相当するテーブルであることができる。ここで、１つの行は、
契約ＩＤ、
契約内容、
契約管理ステータス
の列を含むことができる。
【０１９５】
１−６−３  事故ＤＢ
事故ＤＢは、１つの行が１件の事故連絡に相当するテーブルであることができる。ここで、１つの行は、
事故ＩＤ、
事故内容、
事故管理ステータス
の列を含むことができる。
【０１９６】
２  本発明の実施の第２態様の例
本発明の実施の第２態様の例は、コンピュータに共済運用方法を実行させるプログラムである。
【０１９７】
３  本発明の実施の第３態様の例
本発明の実施の第３態様の例は、共済の運用を実施するためのシステム（以下、「共済運用システム」という。）である。共済運用システムの一例は、サーバ１３０である。なお、ハードウェア資源とソフトウェアとの協働により、コンピュータを以下に述べる各手段として機能させることもできることは、当業者には明らかであろう。
【０１９８】
図１０は、共済運用システム１０００の概略の例を示している。
１０１０は、節１−２及び１−３にて上述したような各種ウェブページを提示するウェブページ提示手段を示している。ウェブページ提示手段１０１０は、提示するウェブページごとに設けられていてよい。また、ウェブページ提示手段１０１０は、要求に応じて、当該要求に対応するウェブページを提示するものであってよい。ウェブページ提示手段１０１０は、例示すれば、
共済企画投稿ページを提示する手段、
内容が後述する記憶手段１０５０に格納された共済企画についての共済内容編集ページを提示する手段、
共済企画紹介ページを提示する手段、
共済加入申込ページを提示する手段、
記憶手段１０５０に格納された共済加入申込についての契約内容編集ページを提示する手段、
共済管理ステータスが共済開始予定日に所定のステータス、例えば「成立済み」であった共済企画についての事故連絡ページを提示する手段、
内容が記憶手段１０５０に格納された事故連絡についての事故受付編集ページを提示する手段
共済企画についての積立金の現在額を示すウェブページを提示する手段
を含むことができる。
【０１９９】
１０２０は、節１−４及び１―５において上述したステップにおいて受信されるような各種データ（通知や命令を含む）を受信するデータ受信手段を示している。データ受信手段１０２０は、受信するデータごとに設けられていてよい。また、データ受信手段１０２０は、受信したデータに基づく処理を更に行うものであってよい。データ受信手段１０２０は、例示すれば、
共済企画の内容を受信し、受信した内容を記憶手段１０５０に格納する手段、
複数のユーザのうちのユーザが特定される情報とともに共済企画についての共済加入申込を受信し、当該情報により特定されるユーザを当該共済加入申込をしたユーザとして当該共済企画に関連付けて記憶手段１０５０に記憶する手段、
共済企画への共済加入申込の承認の通知を受け、当該共済企画への共済加入申込を承認したユーザの数を更新する手段、
事故連絡の内容を受信し、受信した内容を記憶手段１０５０に格納する手段、
事故連絡についての共済金の支払い完了の通知を受け、当該事故連絡の内容が含む情報によって特定される共済企画についての積立金の額を更新する手段、
事故連絡について支払われた共済金の額を示す情報を受信する手段
を含むことができる。
【０２００】
１０３０は、節１−４及び１−５において上述したステップにおいてなされるような、ユーザに関する処理を行うユーザ関連処理手段を示している。ユーザ関連処理手段１０３０は、例示すれば、
積立金の額が所定の額未満となった共済企画の実際の加入者であるユーザの電子メールアドレスを記憶手段１０５０から取得し、該当ユーザに電子メールを送信する手段、
共済管理ステータスが所定のステータス、例えば「共済期間終了」に変更された共済企画の実際の加入者であるユーザに共済企画の終了を通知する手段、
共済掛金の決済のために、共済企画への共済加入申込をしたユーザを記憶手段１０５０を検索して特定する手段
を含むことができる。
【０２０１】
１０４０は、節１−４及び１−５において上述したような、共済管理ステータス、契約管理ステータス及び事故管理ステータスを、条件に応じて自動的に変更するステータス自動変更手段を示している。当該手段は、条件ごとに設けられていてよい。ステータス自動変更手段１０４０は、例示すれば、
加入者募集を開始すべきと判定された共済企画の共済管理ステータスを所定のステータス、例えば「加入者募集中」に変更する手段、
加入者募集期間が終了し共済加入申込を承認したユーザの数が最低加入人数以上である共済企画の共済管理ステータスを所定のステータス、例えば「成立済み」に変更する手段、
共済開始予定日から共済期間が経過した共済企画の共済管理ステータスを所定のステータス、例えば「共済期間終了」に変更する手段
を含むことができる。
【０２０２】
１０５０は、各種情報を記憶する記憶手段を示している。記憶手段１０５０は、１−６にて述べたような共済ＤＢ、契約ＤＢ及び事故ＤＢを含むことができる。また、記憶手段１０５０は、少なくともハードウェア資源であるメモリと、ソフトウェアとの協働により実現されたものであってよい。
【０２０３】
なお、図１０に実線にて表されているように、手段１０１０〜１０４０は、少なくとも記憶手段１０５０に機能上接続することができ、記憶手段１０５０に記憶された各種情報を用いること及び記憶手段１０５０に各種情報を記憶することの一方又は双方を行うことにより、必要な処理を行うことができる。
【０２０４】
４  コンピュータ
図１１は、コンピュータのハードウェア構成の一例を表している。同図に示すように、コンピュータ１１００は、主に、プロセッサ１１１０と、主記憶装置１１２０と、補助記憶装置１１３０と、ユーザインターフェース１１４０と、通信インターフェース１１５０とを備えており、これらはアドレスバス、データバス、コントロールバス等を含むバスライン１１６０を介して相互に接続されている。なお、バスライン１１６０と各ハードウェア資源との間には適宜インターフェース回路（図示せず）が介在している場合もある。
【０２０５】
プロセッサ１１１０は、コンピュータ全体の制御を行う。
主記憶装置１１２０は、プロセッサ１１１０に対して作業領域を提供し、例えばＳＲＡＭ、ＤＲＡＭ等の揮発性メモリである。
【０２０６】
補助記憶装置１１３０は、ソフトウェアであるプログラム等や各種データ等を格納する、例えば、ハードディスクドライブ、フラッシュメモリ等の不揮発性メモリである。当該プログラムは、任意の時点で補助記憶装置１１３０からバスライン１１６０を介して主記憶装置１１２０へとロードされる。
【０２０７】
ユーザインターフェース１１４０は、ユーザに情報を提示すること及びユーザから情報の入力を受けることの一方又は双方を行うものであり、例えば、キーボード、マウス、ディスプレイ、タッチパネルディスプレイ、マイク、スピーカ等である。
【０２０８】
通信インターフェース１１５０は、ネットワーク１５０と接続されるものであり、ネットワーク１５０を介してデータを送受する。通信インターフェース１１５０とネットワーク１５０とは、有線又は無線で接続されうる。通信インターフェース１１５０は、ネットワークに係る情報、例えば、Ｗｉｆｉのアクセスポイントに係る情報、通信キャリアの基地局に関する情報等も取得することがある。
【０２０９】
５  むすび
以上、本発明の実施の態様の例を説明したが、他の類似する実施態様の採用や、適宜態様の変更又は追加を行うことができることに留意されたい。
【図１】
2018032070.tif 000003
【図２Ａ】
2018032070.tif 000004
【図２Ｂ】
2018032070.tif 000005
【図２Ｃ】
2018032070.tif 000006
【図２Ｄ】
2018032070.tif 000007
【図２Ｅ】
2018032070.tif 000008
【図２Ｆ】
2018032070.tif 000009
【図３Ａ】
2018032070.tif 000010
【図３Ｂ】
2018032070.tif 000011
【図３Ｃ】
2018032070.tif 000012
【図４】
2018032070.tif 000013
【図５】
2018032070.tif 000014
【図６】
2018032070.tif 000015
【図７】
2018032070.tif 000016
【図８】
2018032070.tif 000017
【図９】
2018032070.tif 000018
【図１０】
2018032070.tif 000019
【図１１】
2018032070.tif 000020